(57)【要約】【課題】デジタルカメラ側で、所定の記録媒体への画像データの書き込み指示を行う。【解決手段】デジタルカメラ１０のロール分けボタン１２０が押下されることにより、メディア３０に記憶されている画像データが分類される。デジタルカメラ１０のアルバム作成指示ボタン１３０が押下されることにより、データ記録装置２０においてディスクに画像データを書き込む指示情報が生成される。画像データ及び指示情報がデータ記録装置２０に無線送信される。あるいは、画像データ及び指示情報がメディア３０に記録され、メディア３０を介してデータ記録装置２０に入力されることとしてもよい。【選択図】図１
2005167466.tif 000002
【特許請求の範囲】
【請求項１】
画像を撮影して画像データを取得する撮影手段と、
前記画像データを所定の記録媒体に書き込むための指示ボタンと、
前記指示ボタンからの操作信号に基づいて、前記画像データを前記所定の記録媒体に書き込む指示情報を生成する指示情報生成手段と、
前記画像データ及び前記指示情報をデータ記録装置に無線送信する送信手段と、
を備えたことを特徴とするデジタルカメラ。
【請求項２】
画像を撮影して画像データを取得する撮影手段と、
前記画像データを所定の記録媒体に書き込むための指示ボタンと、
前記指示ボタンからの操作信号に基づいて、前記画像データを前記所定の記録媒体に書き込んで電子アルバムを作成する指示情報を生成する指示情報生成手段と、
前記画像データ及び前記指示情報をデータ記録装置に無線送信する送信手段と、
を備えたことを特徴とするデジタルカメラ。
【請求項３】
請求項１又は２に記載のデジタルカメラにおいて、
前記画像データを一又は複数の画像群に分類する画像分類手段を備え、
前記送信手段は、前記画像データを前記分類された画像群として前記データ記録装置に無線送信することを特徴とするデジタルカメラ。
【請求項４】
請求項１、２又は３に記載のデジタルカメラと、所定の記録媒体にデータを書き込むデータ記録手段を備えたデータ記録装置と、から構成される画像記録システムにおいて、
前記データ記録装置は、
前記送信手段により無線送信された前記画像データ及び前記指示情報を受信する受信手段と、
前記受信手段による前記画像データ及び前記指示情報の受信が完了した場合に、前記指示情報に基づいて、前記画像データを前記所定の記録媒体に書き込ませるよう前記データ記録手段を制御する制御手段と、
を備えたことを特徴とする画像記録システム。
【請求項５】
請求項４に記載の画像記録システムにおいて、
前記制御手段は、所定のルールに従って画像データ管理用フォルダ及びファイルの名称を生成し、前記生成された画像データ管理用フォルダ内に前記生成されたファイルの名称を用いて、前記画像データを前記所定の記録媒体に書き込ませるよう前記データ記録手段を制御することを特徴とする画像記録システム。
【請求項６】
請求項４に記載の画像記録システムにおいて、
前記データ記録装置は、
前記所定の記録媒体に識別情報が記録されているか否かを判別する識別情報判別手段を備え、
前記制御手段は、前記識別情報判別手段により前記所定の記録媒体に識別情報が記録されていると判別された場合に、前記画像データを前記所定の記録媒体に書き込ませるよう前記データ記録手段を制御することを特徴とする画像記録システム。
【請求項７】
請求項４に記載の画像記録システムにおいて、
前記所定の記録媒体は、ディスク型記録媒体であって、
前記制御手段は、前記画像データを予め定められたファイル形式に変換し、前記変換されたファイル形式の画像データを前記ディスク型記録媒体の内周側の領域に書き込ませ、元の画像データを前記ディスク型記録媒体の外周側の領域に書き込ませるよう前記データ記録手段を制御することを特徴とする画像記録システム。
【請求項８】
画像を撮影して画像データを取得する撮影手段と、
前記画像データを所定の記録媒体に書き込むための指示ボタンと、
前記指示ボタンからの操作信号に基づいて、前記画像データを前記所定の記録媒体に書き込む指示情報を生成する指示情報生成手段と、
前記画像データ及び前記指示情報をメディアに記録するメディア記録手段と、
を備えたことを特徴とするデジタルカメラ。
【請求項９】
画像を撮影して画像データを取得する撮影手段と、
前記画像データを所定の記録媒体に書き込むための指示ボタンと、
前記指示ボタンからの操作信号に基づいて、前記画像データを前記所定の記録媒体に書き込んで電子アルバムを作成する指示情報を生成する指示情報生成手段と、
前記画像データ及び前記指示情報をメディアに記録するメディア記録手段と、
を備えたことを特徴とするデジタルカメラ。
【請求項１０】
請求項８又は９に記載のデジタルカメラにおいて、
前記画像データを一又は複数の画像群に分類する画像分類手段を備え、
前記メディア記録手段は、前記画像データを前記分類された画像群として前記メディアに記録することを特徴とするデジタルカメラ。
【請求項１１】
請求項８、９又は１０に記載のデジタルカメラと、所定の記録媒体にデータを書き込むデータ記録手段を備えたデータ記録装置と、から構成される画像記録システムにおいて、
前記データ記録装置は、
メディアを装填可能に構成され、前記メディア記録手段により前記メディアに記録された前記画像データ及び前記指示情報を読み取るデータ入力手段と、
前記データ入力手段に前記メディアが装填された場合に、前記指示情報に基づいて、前記画像データを前記所定の記録媒体に書き込ませるよう前記データ記録手段を制御する制御手段と、
を備えたことを特徴とする画像記録システム。
【請求項１２】
請求項１１に記載の画像記録システムにおいて、
前記制御手段は、所定のルールに従って画像データ管理用フォルダ及びファイルの名称を生成し、前記生成された画像データ管理用フォルダ内に前記生成されたファイルの名称を用いて、前記画像データを前記所定の記録媒体に書き込ませるよう前記データ記録手段を制御することを特徴とする画像記録システム。
【請求項１３】
請求項１１に記載の画像記録システムにおいて、
前記データ記録装置は、
前記所定の記録媒体に識別情報が記録されているか否かを判別する識別情報判別手段を備え、
前記制御手段は、前記識別情報判別手段により前記所定の記録媒体に識別情報が記録されていると判別された場合に、前記画像データを前記所定の記録媒体に書き込ませるよう前記データ記録手段を制御することを特徴とする画像記録システム。
【請求項１４】
請求項１１に記載の画像記録システムにおいて、
前記所定の記録媒体は、ディスク型記録媒体であって、
前記制御手段は、前記画像データを予め定められたファイル形式に変換し、前記変換されたファイル形式の画像データを前記ディスク型記録媒体の内周側の領域に書き込ませ、元の画像データを前記ディスク型記録媒体の外周側の領域に書き込ませるよう前記データ記録手段を制御することを特徴とする画像記録システム。
【請求項１５】
コンピュータに、
画像を撮影して画像データを取得する撮影機能と、
前記画像データを所定の記録媒体に書き込むための指示機能と、
前記指示機能における操作信号に基づいて、前記画像データを前記所定の記録媒体に書き込む指示情報を生成する指示情報生成機能と、
前記画像データ及び前記指示情報をデータ記録装置に無線送信する送信機能と、
を実現させるためのプログラム。
【請求項１６】
コンピュータに、
画像を撮影して画像データを取得する撮影機能と、
前記画像データを所定の記録媒体に書き込むための指示機能と、
前記指示機能における操作信号に基づいて、前記画像データを前記所定の記録媒体に書き込んで電子アルバムを作成する指示情報を生成する指示情報生成機能と、
前記画像データ及び前記指示情報をデータ記録装置に無線送信する送信機能と、
を実現させるためのプログラム。
【請求項１７】
請求項１５又は１６に記載のプログラムにおいて、
前記コンピュータに、
前記画像データを一又は複数の画像群に分類する画像分類機能を実現させ、
前記送信機能において、前記画像データを前記分類された画像群として前記データ記録装置に無線送信させることを特徴とするプログラム。
【請求項１８】
コンピュータに、
画像データ及び前記画像データを所定の記録媒体に書き込む指示情報を無線受信する受信機能と、
前記受信機能において前記画像データ及び前記指示情報の受信が完了した場合に、前記指示情報に基づいて、前記画像データを前記所定の記録媒体に書き込むデータ記録機能と、
を実現させるためのプログラム。
【請求項１９】
請求項１８に記載のプログラムにおいて、
前記データ記録機能を実現させる際に、所定のルールに従って画像データ管理用フォルダ及びファイルの名称を生成させ、前記生成された画像データ管理用フォルダ内に前記生成されたファイルの名称を用いて、前記画像データを前記所定の記録媒体に書き込ませることを特徴とするプログラム。
【請求項２０】
請求項１８に記載のプログラムにおいて、
前記コンピュータに、
前記所定の記録媒体に識別情報が記録されているか否かを判別する識別情報判別機能を実現させ、
前記データ記録機能を実現させる際に、前記識別情報判別機能において前記所定の記録媒体に識別情報が記録されていると判別された場合に、前記画像データを前記所定の記録媒体に書き込ませることを特徴とするプログラム。
【請求項２１】
請求項１８に記載のプログラムにおいて、
前記所定の記録媒体は、ディスク型記録媒体であって、
前記データ記録機能を実現させる際に、前記画像データを予め定められたファイル形式に変換し、前記変換されたファイル形式の画像データを前記ディスク型記録媒体の内周側の領域に書き込ませ、元の画像データを前記ディスク型記録媒体の外周側の領域に書き込ませることを特徴とするプログラム。
【請求項２２】
コンピュータに、
画像を撮影して画像データを取得する撮影機能と、
前記画像データを所定の記録媒体に書き込むための指示機能と、
前記指示機能における操作信号に基づいて、前記画像データを前記所定の記録媒体に書き込む指示情報を生成する指示情報生成機能と、
前記画像データ及び前記指示情報をメディアに記録するメディア記録機能と、
を実現させるためのプログラム。
【請求項２３】
コンピュータに、
画像を撮影して画像データを取得する撮影機能と、
前記画像データを所定の記録媒体に書き込むための指示機能と、
前記指示機能における操作信号に基づいて、前記画像データを前記所定の記録媒体に書き込んで電子アルバムを作成する指示情報を生成する指示情報生成機能と、
前記画像データ及び前記指示情報をメディアに記録するメディア記録機能と、
を実現させるためのプログラム。
【請求項２４】
請求項２２又は２３に記載のプログラムにおいて、
前記コンピュータに、
前記画像データを一又は複数の画像群に分類する画像分類機能を実現させ、
前記メディア記録機能において、前記画像データを前記分類された画像群として前記メディアに記録させることを特徴とするプログラム。
【請求項２５】
コンピュータに、
メディアに記録された画像データ及び前記画像データを所定の記録媒体に書き込む指示情報を読み取るデータ入力機能と、
前記指示情報に基づいて、前記画像データを前記所定の記録媒体に書き込むデータ記録機能と、
を実現させるためのプログラム。
【請求項２６】
請求項２５に記載のプログラムにおいて、
前記データ記録機能を実現させる際に、所定のルールに従って画像データ管理用フォルダ及びファイルの名称を生成させ、前記生成された画像データ管理用フォルダ内に前記生成されたファイルの名称を用いて、前記画像データを前記所定の記録媒体に書き込ませることを特徴とするプログラム。
【請求項２７】
請求項２５に記載のプログラムにおいて、
前記コンピュータに、
前記所定の記録媒体に識別情報が記録されているか否かを判別する識別情報判別機能を実現させ、
前記データ記録機能を実現させる際に、前記識別情報判別機能において前記所定の記録媒体に識別情報が記録されていると判別された場合に、前記画像データを前記所定の記録媒体に書き込ませることを特徴とするプログラム。
【請求項２８】
請求項２５に記載のプログラムにおいて、
前記所定の記録媒体は、ディスク型記録媒体であって、
前記データ記録機能を実現させる際に、前記画像データを予め定められたファイル形式に変換し、前記変換されたファイル形式の画像データを前記ディスク型記録媒体の内周側の領域に書き込ませ、元の画像データを前記ディスク型記録媒体の外周側の領域に書き込ませることを特徴とするプログラム。
【発明の詳細な説明】
【技術分野】
【０００１】
本発明は、デジタルカメラ、画像記録システム及びプログラムに関する。
【背景技術】
【０００２】
近年、デジタルカメラの普及に伴い、写真店やコンビニエンス・ストア等の店舗で、デジタルカメラで撮影した画像データを記録したデジタルカメラ用メディアから画像データを読み取り、その画像データをＣＤ−Ｒ（Compact Disc-Recordable）等の記録媒体に書き込んで電子アルバムを作成するサービスが行われるようになってきている。
【０００３】
また、画像データを書き込むＣＤ−Ｒ等の記録媒体に、パソコン（Personal Computer：パーソナルコンピュータ）等のコンピュータ機器に特定の機能を実現させるためのプログラムが書き込まれている場合もある。特定の機能として、例えば、画像データの編集・加工機能や、サウンドファイルを用いてＢＧＭ付きで画像ファイルをスライドショーとして再生する機能等がある（例えば、特許文献１参照。）。
【特許文献１】特開２００３−３０４４７９号公報
【発明の開示】
【発明が解決しようとする課題】
【０００４】
しかし、上記従来技術においては、ＣＤ−Ｒ等の記録媒体への画像データの書き込みや電子アルバムの作成を指示する機能を備えたデジタルカメラはなかった。
【０００５】
本発明は、所定の記録媒体への画像データの書き込み指示を行うことが可能なデジタルカメラ、画像記録システム及びプログラムを提供することを課題とする。
【課題を解決するための手段】
【０００６】
請求項１に記載の発明は、デジタルカメラにおいて、画像を撮影して画像データを取得する撮影手段と、前記画像データを所定の記録媒体に書き込むための指示ボタンと、前記指示ボタンからの操作信号に基づいて、前記画像データを前記所定の記録媒体に書き込む指示情報を生成する指示情報生成手段と、前記画像データ及び前記指示情報をデータ記録装置に無線送信する送信手段と、を備えたことを特徴としている。
【０００７】
請求項２に記載の発明は、デジタルカメラにおいて、画像を撮影して画像データを取得する撮影手段と、前記画像データを所定の記録媒体に書き込むための指示ボタンと、前記指示ボタンからの操作信号に基づいて、前記画像データを前記所定の記録媒体に書き込んで電子アルバムを作成する指示情報を生成する指示情報生成手段と、前記画像データ及び前記指示情報をデータ記録装置に無線送信する送信手段と、を備えたことを特徴としている。
【０００８】
請求項３に記載の発明は、請求項１又は２に記載のデジタルカメラにおいて、前記画像データを一又は複数の画像群に分類する画像分類手段を備え、前記送信手段は、前記画像データを前記分類された画像群として前記データ記録装置に無線送信することを特徴としている。
【０００９】
請求項４に記載の発明は、請求項１、２又は３に記載のデジタルカメラと、所定の記録媒体にデータを書き込むデータ記録手段を備えたデータ記録装置と、から構成される画像記録システムにおいて、前記データ記録装置は、前記送信手段により無線送信された前記画像データ及び前記指示情報を受信する受信手段と、前記受信手段による前記画像データ及び前記指示情報の受信が完了した場合に、前記指示情報に基づいて、前記画像データを前記所定の記録媒体に書き込ませるよう前記データ記録手段を制御する制御手段と、を備えたことを特徴としている。
【００１０】
請求項５に記載の発明は、請求項４に記載の画像記録システムにおいて、前記制御手段は、所定のルールに従って画像データ管理用フォルダ及びファイルの名称を生成し、前記生成された画像データ管理用フォルダ内に前記生成されたファイルの名称を用いて、前記画像データを前記所定の記録媒体に書き込ませるよう前記データ記録手段を制御することを特徴としている。
【００１１】
請求項６に記載の発明は、請求項４に記載の画像記録システムにおいて、前記データ記録装置は、前記所定の記録媒体に識別情報が記録されているか否かを判別する識別情報判別手段を備え、前記制御手段は、前記識別情報判別手段により前記所定の記録媒体に識別情報が記録されていると判別された場合に、前記画像データを前記所定の記録媒体に書き込ませるよう前記データ記録手段を制御することを特徴としている。
【００１２】
請求項７に記載の発明は、請求項４に記載の画像記録システムにおいて、前記所定の記録媒体は、ディスク型記録媒体であって、前記制御手段は、前記画像データを予め定められたファイル形式に変換し、前記変換されたファイル形式の画像データを前記ディスク型記録媒体の内周側の領域に書き込ませ、元の画像データを前記ディスク型記録媒体の外周側の領域に書き込ませるよう前記データ記録手段を制御することを特徴としている。
【００１３】
請求項８に記載の発明は、デジタルカメラにおいて、画像を撮影して画像データを取得する撮影手段と、前記画像データを所定の記録媒体に書き込むための指示ボタンと、前記指示ボタンからの操作信号に基づいて、前記画像データを前記所定の記録媒体に書き込む指示情報を生成する指示情報生成手段と、前記画像データ及び前記指示情報をメディアに記録するメディア記録手段と、を備えたことを特徴としている。
【００１４】
請求項９に記載の発明は、デジタルカメラにおいて、画像を撮影して画像データを取得する撮影手段と、前記画像データを所定の記録媒体に書き込むための指示ボタンと、前記指示ボタンからの操作信号に基づいて、前記画像データを前記所定の記録媒体に書き込んで電子アルバムを作成する指示情報を生成する指示情報生成手段と、前記画像データ及び前記指示情報をメディアに記録するメディア記録手段と、を備えたことを特徴としている。
【００１５】
請求項１０に記載の発明は、請求項８又は９に記載のデジタルカメラにおいて、前記画像データを一又は複数の画像群に分類する画像分類手段を備え、前記メディア記録手段は、前記画像データを前記分類された画像群として前記メディアに記録することを特徴としている。
【００１６】
請求項１１に記載の発明は、請求項８、９又は１０に記載のデジタルカメラと、所定の記録媒体にデータを書き込むデータ記録手段を備えたデータ記録装置と、から構成される画像記録システムにおいて、前記データ記録装置は、メディアを装填可能に構成され、前記メディア記録手段により前記メディアに記録された前記画像データ及び前記指示情報を読み取るデータ入力手段と、前記データ入力手段に前記メディアが装填された場合に、前記指示情報に基づいて、前記画像データを前記所定の記録媒体に書き込ませるよう前記データ記録手段を制御する制御手段と、を備えたことを特徴としている。
【００１７】
請求項１２に記載の発明は、請求項１１に記載の画像記録システムにおいて、前記制御手段は、所定のルールに従って画像データ管理用フォルダ及びファイルの名称を生成し、前記生成された画像データ管理用フォルダ内に前記生成されたファイルの名称を用いて、前記画像データを前記所定の記録媒体に書き込ませるよう前記データ記録手段を制御することを特徴としている。
【００１８】
請求項１３に記載の発明は、請求項１１に記載の画像記録システムにおいて、前記データ記録装置は、前記所定の記録媒体に識別情報が記録されているか否かを判別する識別情報判別手段を備え、前記制御手段は、前記識別情報判別手段により前記所定の記録媒体に識別情報が記録されていると判別された場合に、前記画像データを前記所定の記録媒体に書き込ませるよう前記データ記録手段を制御することを特徴としている。
【００１９】
請求項１４に記載の発明は、請求項１１に記載の画像記録システムにおいて、前記所定の記録媒体は、ディスク型記録媒体であって、前記制御手段は、前記画像データを予め定められたファイル形式に変換し、前記変換されたファイル形式の画像データを前記ディスク型記録媒体の内周側の領域に書き込ませ、元の画像データを前記ディスク型記録媒体の外周側の領域に書き込ませるよう前記データ記録手段を制御することを特徴としている。
【００２０】
請求項１５に記載の発明は、デジタルカメラに内蔵されたコンピュータに、画像を撮影して画像データを取得する撮影機能と、前記画像データを所定の記録媒体に書き込むための指示機能と、前記指示機能における操作信号に基づいて、前記画像データを前記所定の記録媒体に書き込む指示情報を生成する指示情報生成機能と、前記画像データ及び前記指示情報をデータ記録装置に無線送信する送信機能と、を実現させるためのプログラムである。
【００２１】
ここで、コンピュータとは、バスで接続されたＣＰＵ（Central Processing Unit）、ＲＯＭ（Read Only Memory）、ＲＡＭ（Random Access Memory）及びＩ／Ｏを基本構成とする装置であって、マイクロコンピュータ、マイクロプロセッサ等を含み、その組み込み先装置の如何（例えば、パソコン、デジタルカメラ、ＤＶＤ（Digital Versatile Disk）プレーヤー、ＤＶＤレコーダ、ＨＤＤ（Hard Disk Drive）レコーダ、ホームサーバー、ゲーム機、ポータブルＣＤ−Ｒライター等）を問わない。したがって、本発明に係るプログラムは、上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
【００２２】
請求項１６に記載の発明は、デジタルカメラに内蔵されたコンピュータに、画像を撮影して画像データを取得する撮影機能と、前記画像データを所定の記録媒体に書き込むための指示機能と、前記指示機能における操作信号に基づいて、前記画像データを前記所定の記録媒体に書き込んで電子アルバムを作成する指示情報を生成する指示情報生成機能と、前記画像データ及び前記指示情報をデータ記録装置に無線送信する送信機能と、を実現させるためのプログラムである。
【００２３】
請求項１７に記載の発明は、請求項１５又は１６に記載のプログラムにおいて、前記コンピュータに、前記画像データを一又は複数の画像群に分類する画像分類機能を実現させ、前記送信機能において、前記画像データを前記分類された画像群として前記データ記録装置に無線送信させることを特徴としている。
【００２４】
請求項１８に記載の発明は、データ記録装置に内蔵されたコンピュータに、画像データ及び前記画像データを所定の記録媒体に書き込む指示情報を無線受信する受信機能と、前記受信機能において前記画像データ及び前記指示情報の受信が完了した場合に、前記指示情報に基づいて、前記画像データを前記所定の記録媒体に書き込むデータ記録機能と、を実現させるためのプログラムである。
【００２５】
請求項１９に記載の発明は、請求項１８に記載のプログラムにおいて、前記データ記録機能を実現させる際に、所定のルールに従って画像データ管理用フォルダ及びファイルの名称を生成させ、前記生成された画像データ管理用フォルダ内に前記生成されたファイルの名称を用いて、前記画像データを前記所定の記録媒体に書き込ませることを特徴としている。
【００２６】
請求項２０に記載の発明は、請求項１８に記載のプログラムにおいて、前記コンピュータに、前記所定の記録媒体に識別情報が記録されているか否かを判別する識別情報判別機能を実現させ、前記データ記録機能を実現させる際に、前記識別情報判別機能において前記所定の記録媒体に識別情報が記録されていると判別された場合に、前記画像データを前記所定の記録媒体に書き込ませることを特徴としている。
【００２７】
請求項２１に記載の発明は、請求項１８に記載のプログラムにおいて、前記所定の記録媒体は、ディスク型記録媒体であって、前記データ記録機能を実現させる際に、前記画像データを予め定められたファイル形式に変換し、前記変換されたファイル形式の画像データを前記ディスク型記録媒体の内周側の領域に書き込ませ、元の画像データを前記ディスク型記録媒体の外周側の領域に書き込ませることを特徴としている。
【００２８】
請求項２２に記載の発明は、デジタルカメラに内蔵されたコンピュータに、画像を撮影して画像データを取得する撮影機能と、前記画像データを所定の記録媒体に書き込むための指示機能と、前記指示機能における操作信号に基づいて、前記画像データを前記所定の記録媒体に書き込む指示情報を生成する指示情報生成機能と、前記画像データ及び前記指示情報をメディアに記録するメディア記録機能と、を実現させるためのプログラムである。
【００２９】
請求項２３に記載の発明は、デジタルカメラに内蔵されたコンピュータに、画像を撮影して画像データを取得する撮影機能と、前記画像データを所定の記録媒体に書き込むための指示機能と、前記指示機能における操作信号に基づいて、前記画像データを前記所定の記録媒体に書き込んで電子アルバムを作成する指示情報を生成する指示情報生成機能と、前記画像データ及び前記指示情報をメディアに記録するメディア記録機能と、を実現させるためのプログラムである。
【００３０】
請求項２４に記載の発明は、請求項２２又は２３に記載のプログラムにおいて、前記コンピュータに、前記画像データを一又は複数の画像群に分類する画像分類機能を実現させ、前記メディア記録機能において、前記画像データを前記分類された画像群として前記メディアに記録させることを特徴としている。
【００３１】
請求項２５に記載の発明は、データ記録装置に内蔵されたコンピュータに、メディアに記録された画像データ及び前記画像データを所定の記録媒体に書き込む指示情報を読み取るデータ入力機能と、前記指示情報に基づいて、前記画像データを前記所定の記録媒体に書き込むデータ記録機能と、を実現させるためのプログラムである。
【００３２】
請求項２６に記載の発明は、請求項２５に記載のプログラムにおいて、前記データ記録機能を実現させる際に、所定のルールに従って画像データ管理用フォルダ及びファイルの名称を生成させ、前記生成された画像データ管理用フォルダ内に前記生成されたファイルの名称を用いて、前記画像データを前記所定の記録媒体に書き込ませることを特徴としている。
【００３３】
請求項２７に記載の発明は、請求項２５に記載のプログラムにおいて、前記コンピュータに、前記所定の記録媒体に識別情報が記録されているか否かを判別する識別情報判別機能を実現させ、前記データ記録機能を実現させる際に、前記識別情報判別機能において前記所定の記録媒体に識別情報が記録されていると判別された場合に、前記画像データを前記所定の記録媒体に書き込ませることを特徴としている。
【００３４】
請求項２８に記載の発明は、請求項２５に記載のプログラムにおいて、前記所定の記録媒体は、ディスク型記録媒体であって、前記データ記録機能を実現させる際に、前記画像データを予め定められたファイル形式に変換し、前記変換されたファイル形式の画像データを前記ディスク型記録媒体の内周側の領域に書き込ませ、元の画像データを前記ディスク型記録媒体の外周側の領域に書き込ませることを特徴としている。
【発明の効果】
【００３５】
請求項１に記載の発明によれば、画像を撮影して画像データを取得し、指示ボタンからの操作信号に基づいて、画像データを所定の記録媒体に書き込む指示情報を生成し、画像データ及び指示情報をデータ記録装置に無線送信するので、所定の記録媒体への画像データの書き込み指示を行うことができる。
【００３６】
請求項２に記載の発明によれば、画像を撮影して画像データを取得し、指示ボタンからの操作信号に基づいて、画像データを所定の記録媒体に書き込んで電子アルバムを作成する指示情報を生成し、画像データ及び指示情報をデータ記録装置に無線送信するので、所定の記録媒体への画像データの書き込み指示を行うことができる。
【００３７】
請求項３に記載の発明によれば、画像データを一又は複数の画像群に分類し、画像データを、分類された画像群としてデータ記録装置に無線送信するので、画像データの検索や管理が容易になる。
【００３８】
請求項４に記載の発明によれば、データ記録装置は、デジタルカメラから無線送信された画像データ及び指示情報を受信し、この受信が完了した場合に、指示情報に基づいて、画像データを所定の記録媒体に書き込むので、デジタルカメラ側で所定の記録媒体への画像データの書き込み指示を行うことができる。
【００３９】
請求項５に記載の発明によれば、データ記録装置は、所定のルールに従って画像データ管理用フォルダ及びファイルの名称を生成し、生成された画像データ管理用フォルダ内に生成されたファイルの名称を用いて、画像データを所定の記録媒体に書き込むので、画像データの検索や管理が容易になる。
【００４０】
請求項６に記載の発明によれば、データ記録装置は、所定の記録媒体に識別情報が記録されているか否かを判別し、識別情報が記録されていると判別された場合に、画像データを所定の記録媒体に書き込むので、所定の記録媒体以外の記録媒体に画像データを書き込むことを防止することができる。
【００４１】
請求項７に記載の発明によれば、画像データを予め定められたファイル形式に変換し、変換されたファイル形式の画像データをディスク型記録媒体の内周側の領域に書き込み、元の画像データをディスク型記録媒体の外周側の領域に書き込むので、複数の再生機器に対応可能な記録媒体を提供することができる。
【００４２】
請求項８に記載の発明によれば、画像を撮影して画像データを取得し、指示ボタンからの操作信号に基づいて、画像データを所定の記録媒体に書き込む指示情報を生成し、画像データ及び指示情報をメディアに記録するので、所定の記録媒体への画像データの書き込み指示を行うことができる。
【００４３】
請求項９に記載の発明によれば、画像を撮影して画像データを取得し、指示ボタンからの操作信号に基づいて、画像データを所定の記録媒体に書き込んで電子アルバムを作成する指示情報を生成し、画像データ及び指示情報をメディアに記録するので、所定の記録媒体への画像データの書き込み指示を行うことができる。
【００４４】
請求項１０に記載の発明によれば、画像データを一又は複数の画像群に分類し、画像データを、分類された画像群としてメディアに記録するので、画像データの検索や管理が容易になる。
【００４５】
請求項１１に記載の発明によれば、データ記録装置は、メディアに記録された画像データ及び指示情報を読み取り、メディアが装填された場合に、指示情報に基づいて、画像データを所定の記録媒体に書き込むので、デジタルカメラ側で所定の記録媒体への画像データの書き込み指示を行うことができる。
【００４６】
請求項１２に記載の発明によれば、データ記録装置は、所定のルールに従って画像データ管理用フォルダ及びファイルの名称を生成し、生成された画像データ管理用フォルダ内に生成されたファイルの名称を用いて、画像データを所定の記録媒体に書き込むので、画像データの検索や管理が容易になる。
【００４７】
請求項１３に記載の発明によれば、データ記録装置は、所定の記録媒体に識別情報が記録されているか否かを判別し、識別情報が記録されていると判別された場合に、画像データを所定の記録媒体に書き込むので、所定の記録媒体以外の記録媒体に画像データを書き込むことを防止することができる。
【００４８】
請求項１４に記載の発明によれば、画像データを予め定められたファイル形式に変換し、変換されたファイル形式の画像データをディスク型記録媒体の内周側の領域に書き込み、元の画像データをディスク型記録媒体の外周側の領域に書き込むので、複数の再生機器に対応可能な記録媒体を提供することができる。
【００４９】
請求項１５に記載の発明によれば、画像を撮影して画像データを取得し、指示機能における操作信号に基づいて、画像データを所定の記録媒体に書き込む指示情報を生成し、画像データ及び指示情報をデータ記録装置に無線送信するので、所定の記録媒体への画像データの書き込み指示を行うことができる。
【００５０】
請求項１６に記載の発明によれば、画像を撮影して画像データを取得し、指示機能における操作信号に基づいて、画像データを所定の記録媒体に書き込んで電子アルバムを作成する指示情報を生成し、画像データ及び指示情報をデータ記録装置に無線送信するので、所定の記録媒体への画像データの書き込み指示を行うことができる。
【００５１】
請求項１７に記載の発明によれば、画像データを一又は複数の画像群に分類し、画像データを、分類された画像群としてデータ記録装置に無線送信するので、画像データの検索や管理が容易になる。
【００５２】
請求項１８に記載の発明によれば、画像データ及び画像データを所定の記録媒体に書き込む指示情報を受信し、この受信が完了した場合に、指示情報に基づいて、画像データを所定の記録媒体に書き込むことができる。
【００５３】
請求項１９に記載の発明によれば、所定のルールに従って画像データ管理用フォルダ及びファイルの名称を生成し、生成された画像データ管理用フォルダ内に生成されたファイルの名称を用いて、画像データを所定の記録媒体に書き込むので、画像データの検索や管理が容易になる。
【００５４】
請求項２０に記載の発明によれば、所定の記録媒体に識別情報が記録されているか否かを判別し、識別情報が記録されていると判別された場合に、画像データを所定の記録媒体に書き込むので、所定の記録媒体以外の記録媒体に画像データを書き込むことを防止することができる。
【００５５】
請求項２１に記載の発明によれば、画像データを予め定められたファイル形式に変換し、変換されたファイル形式の画像データをディスク型記録媒体の内周側の領域に書き込み、元の画像データをディスク型記録媒体の外周側の領域に書き込むので、複数の再生機器に対応可能な記録媒体を提供することができる。
【００５６】
請求項２２に記載の発明によれば、画像を撮影して画像データを取得し、指示機能における操作信号に基づいて、画像データを所定の記録媒体に書き込む指示情報を生成し、画像データ及び指示情報をメディアに記録するので、所定の記録媒体への画像データの書き込み指示を行うことができる。
【００５７】
請求項２３に記載の発明によれば、画像を撮影して画像データを取得し、指示機能における操作信号に基づいて、画像データを所定の記録媒体に書き込んで電子アルバムを作成する指示情報を生成し、画像データ及び指示情報をメディアに記録するので、所定の記録媒体への画像データの書き込み指示を行うことができる。
【００５８】
請求項２４に記載の発明によれば、画像データを一又は複数の画像群に分類し、画像データを、分類された画像群としてメディアに記録するので、画像データの検索や管理が容易になる。
【００５９】
請求項２５に記載の発明によれば、メディアに記録された画像データ及び画像データを所定の記録媒体に書き込む指示情報を読み取り、指示情報に基づいて、画像データを所定の記録媒体に書き込むことができる。
【００６０】
請求項２６に記載の発明によれば、所定のルールに従って画像データ管理用フォルダ及びファイルの名称を生成し、生成された画像データ管理用フォルダ内に生成されたファイルの名称を用いて、画像データを所定の記録媒体に書き込むので、画像データの検索や管理が容易になる。
【００６１】
請求項２７に記載の発明によれば、所定の記録媒体に識別情報が記録されているか否かを判別し、識別情報が記録されていると判別された場合に、画像データを所定の記録媒体に書き込むので、所定の記録媒体以外の記録媒体に画像データを書き込むことを防止することができる。
【００６２】
請求項２８に記載の発明によれば、画像データを予め定められたファイル形式に変換し、変換されたファイル形式の画像データをディスク型記録媒体の内周側の領域に書き込み、元の画像データをディスク型記録媒体の外周側の領域に書き込むので、複数の再生機器に対応可能な記録媒体を提供することができる。
【発明を実施するための最良の形態】
【００６３】
以下に、図面を参照して本発明の実施の形態を説明する。ただし、図示例に限定されるものではない。
まず、図１に、本発明の実施の形態における画像記録システム１のシステム構成を示す。図１に示すように、画像記録システム１は、デジタルカメラ１０と、データ記録装置２０と、から構成される。
【００６４】
図１に示すように、デジタルカメラ１０には、後述するロール分けボタン１２０やアルバム作成指示ボタン１３０等が設けられている。デジタルカメラ１０では、後述するアルバムＩＤ番号と同一名のフォルダ内に、データ記録装置２０において所定の記録媒体に書き込む対象となる画像ファイル群が格納され、これらの画像ファイル群を所定の記録媒体に書き込んで電子アルバムを作成する指示情報としてアルバム作成指示情報ファイル（以下、単に「指示情報」という。）が生成される。所定の記録媒体とは、データ記録装置２０において、画像データを記録可能な記録媒体であって、本実施の形態においては、ディスク型記録媒体４０（以下、ディスク４０という。）を用いる。ディスク４０として、ＣＤ−Ｒ、ＤＶＤ−Ｒ、ブルーレイディスク等が挙げられる。そして、画像データ及び指示情報が無線でデータ記録装置２０に送信されるか、あるいは、画像データ及び指示情報が記録されたメディア３０がデータ記録装置２０にセットされる。
【００６５】
データ記録装置２０としては、パソコン、ＤＶＤレコーダ、ＨＤＤレコーダ、ホームサーバー、ゲーム機、ポータブルライター、キオスク（無人端末）や店頭端末等が挙げられる。データ記録装置２０では、指示情報に基づいて、画像データがディスク４０に書き込まれる。
【００６６】
図２に、デジタルカメラ１０の機能的構成を示す。図２に示すように、デジタルカメラ１０は、ＣＰＵ１０１、操作部１０２、表示部１０３、撮影手段１０４、無線通信手段１０５、ＲＯＭ１０６、ＲＡＭ１０７、記憶部１０８、メディア記録手段１０９、メディア装填部１１０、等を備えて構成され、各部はバス１１１により接続されている。
【００６７】
ＣＰＵ１０１は、操作部１０２から入力される各種指示に従って、ＲＯＭ１０６に記録されているデジタルカメラ１０に対応する各種プログラムの中から指定されたプログラムをＲＡＭ１０７のワークエリアに展開し、上記プログラムとの協働によって各種処理を実行し、その処理結果をＲＡＭ１０７の所定の領域に格納するとともに、表示部１０３に表示させる。
【００６８】
具体的に、ＣＰＵ１０１は、アルバム作成指示ボタン１３０における押下信号に基づいて、データ記録装置２０に対して、デジタルカメラ１０で撮影した画像データをディスク４０に書き込んで電子アルバムを作成するよう指示する指示情報を生成する。
【００６９】
また、ＣＰＵ１０１は、ロール分けボタン１２０における押下信号に基づいて、デジタルカメラ１０で撮影して得られた画像データを一又は複数の画像群（ロール）に分類する。ロールとは、フィルムカメラにおけるフィルムに相当し、撮影日毎、予め設定された画像数やデータ量毎等の基準に応じて分類される単位をいう。画像が撮影された撮影日毎、予め設定された画像数やデータ量毎等の基準に応じて画像データを分類する。
【００７０】
操作部１０２は、レリーズボタン、選択ボタン、ロール分けボタン１２０やアルバム作成指示ボタン１３０等の各種機能ボタン等を備え、各ボタン操作による押下信号をＣＰＵ１０１に出力する。
【００７１】
表示部１０３は、ＬＣＤ（Liquid Crystal Display）パネル等により構成され、ＣＰＵ１０１から入力される表示データに基づいて画面表示を行う。また、表示部１０３は、撮影時に撮影手段１０４の撮像素子から取り込まれた画像データをプレビュー表示するとともに、撮影した画像データを表示する。
【００７２】
撮影手段１０４は、光学レンズ、及びＣＣＤ（Charge Coupled Device）やＣＭＯＳ（Complementary Metal Oxide Semiconductor）等の撮像素子により構成され、光学レンズを介して入力される画像を撮像素子で電気信号に変換し、画像データを取得する。
【００７３】
無線通信手段１０５は、無線信号の送受信を行うアンテナを備え、ＣＰＵ１０１から入力される指示に従って、データ記録装置２０との間でデータの送受信を行う。無線通信方式としては、例えば、無線ＬＡＮ（Local Area Network）、赤外線を利用したＩｒＤＡ（Infrared Data Association）方式、Bluetooth方式、非接触で近接して情報を伝達する電磁誘導方式等がある。
【００７４】
ＲＯＭ１０６は、不揮発性の半導体メモリで構成される。ＲＯＭ１０６は、ＣＰＵ１０１により実行されるデジタルカメラ用の各種アプリケーションプログラム等を記憶する。
【００７５】
ＲＡＭ１０７は、書き換え可能な半導体素子で構成される。ＲＡＭ１０７は、データが一時的に保存される記憶媒体であり、ＣＰＵ１０１が実行するためのプログラムを展開するためのプログラムエリア、操作部１０２から入力されるデータやＣＰＵ１０１による各種処理結果等を保存するためのデータエリア、等が形成される。
【００７６】
記憶部１０８は、ＣＰＵ１０１により実行される各種プログラムの実行時に必要なデータやデジタルカメラ１０の設定情報等を記憶している。
【００７７】
メディア記録手段１０９は、ＣＰＵ１０１の制御に従って、メディア装填部１１０に装填されたメディア３０に、撮影して得られた画像データや指示情報を書き込む。デジタルカメラ１０で利用されるメディア３０としては、スマートメディア、コンパクトフラッシュ（登録商標）、メモリースティック（登録商標）、ＳＤメモリーカード、マルチメディアカード等が用いられる。
【００７８】
次に、データ記録装置２０の機能的構成について説明する。図３に示すように、データ記録装置２０は、ＣＰＵ２０１、操作部２０２、表示部２０３、データ入力手段２０４、メディア装填部２０５、無線通信手段２０６、ＲＯＭ２０７、ＲＡＭ２０８、記憶部２０９、識別情報判別手段２１０、記録媒体装填部２１１、データ記録手段２１２、等を備えて構成され、各部はバス２１３により接続されている。
【００７９】
ＣＰＵ２０１は、操作部２０２又は無線通信手段２０６から入力される各種指示に従って、ＲＯＭ２０７に記録されているデータ記録装置２０に対応する各種プログラムの中から指定されたプログラムをＲＡＭ２０８のワークエリアに展開し、上記プログラムとの協働によって各種処理を実行し、その処理結果をＲＡＭ２０８の所定の領域に格納するとともに、表示部２０３に表示させる。
【００８０】
具体的に、ＣＰＵ２０１は、所定のルールに従って、画像データ管理用フォルダ及びファイルの名称を生成する。所定のルールとして、フォルダの名称は、画像データの書き込みが行われる地域、店舗、又は日時を特定するための情報、データ記録装置２０の固有ＩＤ情報、プログラムの固有ＩＤ情報、又は、画像データの書き込みを依頼するユーザを特定するための情報の中から選択される一又は複数の情報を用いて生成される構成とする。また、画像を格納するフォルダの名称は、どのような数字や文字、記号で構成されていてもよいが、画像データの書き込みサービスを利用するユーザが画像データの検索、管理をしやすいように構成されていることが好ましく、該サービスを複数回利用した場合でも、フォルダ名が重複しないようにユニークに構成されていればなお好ましい。また、各画像ファイルに関しても、互いに重複しないような名称に変更する。
【００８１】
例えば、注文を行った写真店を特定する情報（店番号等）や写真店が存在する地域を特定する情報を用いてフォルダ名を生成すれば、他の写真店や地域で作成されたディスク４０のフォルダと区別することができる。また、注文の日時や画像データの撮影日時、ユーザが任意に指定した日時等の日時情報を用いてフォルダ名を生成すれば、異なる日時に作成されたフォルダと区別することができ、画像データの検索や管理をする場合に便利である。また、データ記録装置２０の固有ＩＤ情報（装置番号等）を用いれば、異なるデータ記録装置２０で作成されたフォルダと区別することができ、ユーザを特定するための情報を用いれば、他のユーザが注文したディスク４０のフォルダと区別することができる。また、書き込まれるプログラムの固有ＩＤ情報を用いれば、フォルダ名から書き込まれているプログラムを識別することができる。さらに、これらを任意に組み合わせて、例えば、店番号と日時情報と装置番号と通し番号とでフォルダ名を生成すれば、ほぼユニークな名称とすることができ、複数のディスク４０におけるフォルダ名が重複することがなくなり、複数のディスク４０の画像データを整理する場合にフォルダを上書きするおそれがなくなる。なお、本願発明者の知見によれば、ユニークな名称とするためには、１０桁以上の数字や文字の組み合わせとすればよいと考えられる。
【００８２】
また、ＤＣＦ（Design rule for Camera File system）形式、ＤＰＯＦ（Digital Print Order Format）形式、ＥＸＩＦ（Exchangeable Image File Format）形式等のファイルから、日時情報（ファイル作成日時、撮影日時）やファイル名、ユーザに関する情報、ファイルを作成したデジタルカメラに関する情報等を取得し、これらの情報の中から複数のファイルに共通の情報を抽出して、画像データ管理用フォルダの名称を生成することとしてもよい。
【００８３】
また、ＣＰＵ２０１は、画像データをＤＶＤプレーヤーやゲーム機等のＡＶ（Audio-Visual）機器再生用のファイル形式に変換する。ＡＶ機器再生用のファイル形式として、Ｖｉｄｅｏ−ＣＤ形式、ＤＶＤ−Ｖｉｄｅｏ形式、ＨＤＴＶ（High Definition TeleVision）形式等がある。
【００８４】
操作部２０２は、数字ボタンや選択ボタン、各種機能ボタン等を備え、各ボタン操作による押下信号をＣＰＵ２０１に出力する。なお、操作部２０２は、表示部２０３と一体となったタッチパネルにより構成されることとしてもよい。
【００８５】
表示部２０３は、ＬＣＤパネル等により構成され、ＣＰＵ２０１から入力される表示データに基づいて画面表示を行う。
【００８６】
データ入力手段２０４は、ＣＰＵ２０１の制御に従って、メディア装填部２０５に装填されたメディア３０に記録された画像データや指示情報を読み込み、ＣＰＵ２０１に出力する。また、データ入力手段２０４は、メディア装填部２０５にメディア３０が装填されているか否かを判断し、ＣＰＵ２０１に出力する。
【００８７】
無線通信手段２０６は、無線信号の送受信を行うアンテナを備え、ＣＰＵ２０１から入力される指示に従って、デジタルカメラ１０との間でデータの送受信を行う。無線通信方式としては、例えば、無線ＬＡＮ、赤外線を利用したＩｒＤＡ方式、Bluetooth方式、非接触で近接して情報を伝達する電磁誘導方式等がある。
【００８８】
ＲＯＭ２０７は、不揮発性の半導体メモリで構成される。ＲＯＭ２０７は、ＣＰＵ２０１により実行されるデータ記録装置用の各種アプリケーションプログラム等を記憶する。
【００８９】
ＲＡＭ２０８は、書き換え可能な半導体素子で構成される。ＲＡＭ２０８は、データが一時的に保存される記憶媒体であり、ＣＰＵ２０１が実行するためのプログラムを展開するためのプログラムエリア、操作部２０２から入力されるデータやＣＰＵ２０１による各種処理結果等を保存するためのデータエリア、等が形成される。
【００９０】
記憶部２０９は、ＨＤＤを備えて構成され、データ入力手段２０４により読み込まれた画像データや指示情報を記憶する。
【００９１】
識別情報判別手段２１０は、記録媒体装填部２１１に装填されたディスク４０に識別情報が記録されているか否かを判別する。識別情報は、ディスク４０を識別するための情報であり、ディスク４０を製造するメーカーの名称や予め定められた種類のプログラム等、内容は限定されない。また、複数のディスク４０で識別情報が重複しないようにユニークな構成とすることもできる。また、識別情報は再生プログラムが認識できる形式で記録されていればよく、パソコンのＯＳが認識できないようにファイル形式でないデータとして記録されることが好ましい。また、簡易に海賊版生産を防止するためには、ディスク４０の論理アドレス領域外（パソコンのＯＳではアクセスできない領域）に、この識別情報をプリプレスすることもできる。
【００９２】
ディスク４０には、パソコンやＤＶＤプレーヤー、ゲーム機等に画像データを再生させるための画像再生プログラムが予め記録されている。画像再生プログラムには、静止画の画像データを表示したり、動画の画像データを再生したり、これらの画像データを連続して順次表示し、スライドショーとして再生したり、画像データの再生時に音楽データを出力したりする機能が含まれる。また、画像データに色・濃度・彩度補正、画像回転、トリミング等の加工を施す画像加工プログラムや、画像データを編集する画像編集プログラム等が記録されていることとしてもよい。すなわち、ディスク４０に画像データを書き込むことにより、電子アルバムを作成することができる。
【００９３】
データ記録手段２１２は、ＣＰＵ２０１の制御に従って、データ入力手段２０４により読み込まれた指示情報に基づいて、記録媒体装填部２１１に装填されたディスク４０に、データ入力手段２０４により読み込まれた画像データを書き込む。データ記録手段２１２は、ＡＶ機器再生用のファイル形式に変換された画像データと、変換前の元の画像データとをディスク４０に書き込むが、ＡＶ機器においては、ディスク４０からデータを読み込む順序が決まっているため、ＡＶ機器再生用のファイル形式に変換された画像データを変換前の元の画像データよりもディスク４０の内周側の領域に書き込むこととする。
【００９４】
次に、画像記録システム１における動作を説明する。
図４は、デジタルカメラ１０において実行されるアルバム作成指示処理を示すフローチャートである。
まず、ロール分けボタン１２０が押下されることにより（ステップＳ１）、メディア３０に記憶されている画像データが分類される（ステップＳ２）。図５（ａ）は、表示部１０３に画像データのサムネイル画像が表示されている例である。ここで、ロール分けボタン１２０を押下すると、図５（ｂ）に示すように、「１」、「２」、「３」というロールに画像データが分類される。例えば、撮影日毎、予め設定された画像数やデータ量毎等の基準に応じて画像データが分類される。
【００９５】
次に、アルバム作成指示ボタン１３０が押下されることにより（ステップＳ３）、指示情報が生成される（ステップＳ４）。図６に、指示情報（アルバム作成指示情報ファイル）の例を示す。指示情報には、ヘッダー指示情報として、アルバムＩＤ番号（デジタルカメラ１０が発番する番号、デジタルカメラ１０のユニークマシン番号等、時間情報に基づいてデジタルカメラ１０側で生成される。）、アルバムタイトル（デジタルカメラ１０上で入力又はタイトル選択）、スライドショーのタイトル画面背景画像タイプ（デジタルカメラ１０上で選択、又はデフォルト背景自動選択）、スライドショー時のＢＧＭ（デジタルカメラ１０上で選択、又はデフォルトＢＧＭ自動選択）、書き込み画像の撮影日時（期間）、書き込みデータタイプ（デジタルカメラ画像＋ＡＶ機器形式ファイル、又はデジタルカメラ画像のみ）が記載されている。
【００９６】
また、指示情報には、各画像に関する指示情報として、画像毎に、画像フレーム番号、サムネイル画像を作成するか否か、スクリーンネイル画像を作成するか否か、元画像を書き込むか否か、画像のフォーマット種、画像が格納される相対パス、画像回転度、スライドショー上に表示されるフレーム番号、画像に合成される文字内容、フォント、サイズ、タイプ、合成位置（画像の左上を原点に、ピクセル単位で表記）、スライド効果のタイプやスライド間隔（単位：msec）が記載されている。スクリーンネイル画像とは、例えば、８００×６００ピクセル（ＳＶＧＡ（Super Video Graphics Array）サイズ）や１０２４×７６８ピクセル（ＸＧＡ（eXtended Graphics Array）サイズ）等、パソコンの通常ディスプレイサイズいっぱいに表示可能な画像解像度の画像をいう。
【００９７】
無線送信する場合には（ステップＳ５；無線送信）、無線通信手段１０５により、画像データ及び指示情報がデータ記録装置２０に無線送信される（ステップＳ６）。ここで、画像データは、ロール毎に分類された画像群として関連付けられて無線送信される。
【００９８】
メディア３０に書き込む場合には（ステップＳ５；メディア書込）、メディア記録手段１０９により、画像データ及び指示情報がメディア３０に記録される（ステップＳ７）。ここで、画像データは、ロール毎に分類された画像群として関連付けられてメディア３０に記録される。
以上で、アルバム作成指示処理が終了する。
【００９９】
次に、データ記録装置２０において実行されるアルバム作成処理について説明する。
図７に示すように、画像データ及び指示情報を無線受信する場合には（ステップＳ１１；無線受信）、無線通信手段２０６により、画像データ及び指示情報が受信される（ステップＳ１２）。画像データ及び指示情報の受信が完了すると（ステップＳ１２；ＹＥＳ）、受信された画像データ及び指示情報は、記憶部２０９に記憶される。
【０１００】
画像データ及び指示情報をメディアから読み込む場合には（ステップＳ１１；メディア読込）、データ入力手段２０４により、メディア装填部２０５にメディア３０が装填されているか否かが判断される（ステップＳ１３）。メディア装填部２０５にメディア３０が装填されている場合には（ステップＳ１３；ＹＥＳ）、データ入力手段２０４により、メディア３０に記録された画像データや指示情報が読み込まれる（ステップＳ１４）。読み込まれた画像データ及び指示情報は、記憶部２０９に記憶される。
【０１０１】
次に、識別情報判別手段２１０により、記録媒体装填部２１１に装填されたディスク４０に識別情報が記録されているか否かが判別される（ステップＳ１５）。図８に、ディスク４０の記録領域を模式的に示す。図８に示すように、識別情報は、ディスク４０の識別情報記録領域４１に予め記録されている。識別情報が記録されていると判別された場合には（ステップＳ１５；ＹＥＳ）、ディスク４０に画像データが書き込まれる。
【０１０２】
まず、画像データがＤＶＤプレーヤーやゲーム機等のＡＶ機器再生用のファイル形式に変換される（ステップＳ１６）。
【０１０３】
そして、ＡＶ機器再生用のデータ、元の画像データの両方に対して、所定のルールに従って、画像データ管理用フォルダ名とファイル名が生成される（ステップＳ１７）。このフォルダ名は、前述したように、画像データの検索や管理が容易になるような情報が含まれることが好ましい。また、ファイル名は、必要に応じて、互いに重複しないような名称に変更される。
【０１０４】
次に、データ記録手段２１２により、指示情報に基づいて、ＡＶ機器再生用のデータが、図８に示すディスク４０のＡＶ機器再生用データ記録領域４２に書き込まれる（ステップＳ１８）。続いて、元の画像データがディスク４０のＡＶ機器再生用データ記録領域４２より外周側のオリジナルデータ記録領域４３に書き込まれる（ステップＳ１９）。ステップＳ１８、ステップＳ１９において、ステップＳ１７で生成されたフォルダ内に、ステップＳ１７で生成されたファイル名を用いて、データが書き込まれる。オリジナルデータ記録領域４３に書き込まれるデータは、静止画の画像データ、動画の画像データの他、ＢＧＭとして使用される音楽データや音声データ等であってもよい。各データは、ロール毎に分類されて同一のディスク４０に書き込まれてもよいし、各ロールに属するデータが別々のディスク４０に書き込まれてもよいし、選択されたロールに属するデータのみがディスク４０に書き込まれてもよい。
以上で、アルバム作成処理が終了する。
【０１０５】
図９にディスク４０に書き込まれるデータ構造の例を示す。図９（ａ）に示すように、ディスク４０のＩＤ情報（ID.txt）や特定のアプリケーション（Slide.exe）、特定のコンテンツ（Sound.mp3）等の特定の情報（ここでは特定の情報をファイルとして記載しているが、任意の形式のデータとすることができる。）が格納される階層に、（PS_XXXXXXX_yymmdd_TTCCC：XXXXXXXは書き込みが行われるロケーション、装置毎の固有ＩＤ情報等のロケーションＩＤ、yymmddは書き込み年月日を特定する数字、TTはデータ記録装置２０を特定する数字（マシン通し番号等）、CCCはシーケンシャル番号）という名称のフォルダ（ＰＳディレクトリ）が作成され、その下位の階層に画像データ格納用に設けられているフォルダ（PS_IMAGE）が作成され、さらにその下位の階層に、（PR_XXXXXXX_yymmdd_TTCCCNNN：XXXXXXX〜CCCは上記と同じ、NNNは所定の単位毎（例えば、ロール毎やメディア３０毎等）のシーケンシャル番号）という名称のフォルダ（ＰＲディレクトリ）が作成され、その中に画像データ（Ryymmdd00001.jpg等）やサムネイル画像データ（Tyymmdd00001.jpg等）、スクリーンネイル画像データ（Syymmdd00001.jpg等）、ＲＡＷ形式データ（Wyymmdd00001.raw等）等が格納される。
【０１０６】
なお、図９（ａ）のデータ構造は例示であり、例えば、図９（ｂ）に示すように、ＰＳディレクトリを省略してPS_IMAGEの下位の階層にＰＲディレクトリが作成される構成や、図９（ｃ）に示すように、ＰＳディレクトリやPS_IMAGEを省略して直接ＰＲディレクトリが作成される構成としてもよい。
【０１０７】
以上、説明したように、画像記録システム１によれば、画像を撮影して画像データを取得し、アルバム作成指示ボタン１３０からの押下信号に基づいて、画像データをディスク４０に書き込む指示情報を生成し、画像データ及び指示情報をデータ記録装置２０に無線送信したり、メディア３０に記録したりするので、デジタルカメラ１０側でディスク４０への画像データの書き込み指示を行うことができる。
【０１０８】
また、画像データを一又は複数の画像群に分類し、画像データを、分類された画像群としてデータ記録装置２０に無線送信、又は、メディア３０に記録するので、画像データの検索や管理が容易になる。
【０１０９】
また、データ記録装置２０は、デジタルカメラ１０から無線送信された画像データ及び指示情報の受信が完了した場合、又は、メディア３０がメディア装填部２０５に装填された場合に、指示情報に基づいて、画像データをディスク４０に書き込むことができる。
【０１１０】
また、データ記録装置２０は、所定のルールに従って画像データ管理用フォルダ及びファイルの名称を生成し、生成された画像データ管理用フォルダ内に生成されたファイルの名称を用いて、画像データをディスク４０に書き込むので、画像データの検索や管理が容易になる。
【０１１１】
また、データ記録装置２０は、ディスク４０に識別情報が記録されているか否かを判別し、識別情報が記録されていると判別された場合に、画像データをディスク４０に書き込むので、所定のディスク４０以外の記録媒体に画像データを書き込むことを防止することができる。
【０１１２】
また、データ記録装置２０は、画像データをＡＶ機器再生用のファイル形式に変換し、変換されたファイル形式の画像データをディスク４０の内周側の領域に書き込み、元の画像データをディスク４０の外周側の領域に書き込むので、複数の再生機器に対応可能なディスク４０を提供することができる。
【０１１３】
なお、上記実施の形態における記述は、本発明に係る好適な画像記録システムの例であり、これに限定されるものではない。画像記録システムを構成する各装置の細部構成及び細部動作に関しても本発明の趣旨を逸脱することのない範囲で適宜変更可能である。
【０１１４】
上記実施の形態においては、画像データをＡＶ機器再生用のファイル形式のデータに変換し、変換後のＡＶ機器再生用のデータと元の画像データの両方をディスク４０に書き込むこととしたが、ＡＶ機器再生用のデータ変換を行わず、元の画像データのみをディスク４０に書き込むこととしてもよい。
【０１１５】
また、上記実施の形態においては、デジタルカメラ１０が画像データ及び指示情報を無線送信してデータ記録装置２０が受信する場合と、メディア３０を介してデジタルカメラ１０からデータ記録装置２０へ画像データ及び指示情報を移す場合について説明したが、どちらか一方のみの方法でデータの授受を行う構成としてもよい。
【０１１６】
また、画像データ及び指示情報が無線送信される場合には、データ記録装置２０がデジタルカメラ１０から画像データ及び指示情報の受信を完了した時に、データ記録装置２０が受信完了信号をデジタルカメラ１０に送信することとしてもよいし、アルバム作成終了後に、データ記録装置２０がアルバム作成終了信号をデジタルカメラ１０に送信することとしてもよい。
【０１１７】
また、ディスク４０における識別情報は、図８の図示例に限定されず、画像データが書き込まれるＡＶ機器再生用データ記録領域４２やオリジナルデータ記録領域４３を除く領域であれば、どこの領域に記録されていてもかまわない。
【図面の簡単な説明】
【０１１８】
【図１】本発明の実施の形態における画像記録システム１のシステム構成図である。
【図２】デジタルカメラ１０の機能的構成を示すブロック図である。
【図３】データ記録装置２０の機能的構成を示すブロック図である。
【図４】デジタルカメラ１０において実行されるアルバム作成指示処理を示すフローチャートである。
【図５】ロール分類の例を示す図である。
【図６】アルバム作成指示情報ファイルの例である。
【図７】データ記録装置２０において実行されるアルバム作成処理を示すフローチャートである。
【図８】ディスク４０の記録領域を示す模式図である。
【図９】ディスク４０に書き込まれるデータ構造の例を示す図である。
【符号の説明】
【０１１９】
１  画像記録システム
１０  デジタルカメラ
１０１  ＣＰＵ
１０２  操作部
１０３  表示部
１０４  撮影手段
１０５  無線通信手段
１０６  ＲＯＭ
１０７  ＲＡＭ
１０８  記憶部
１０９  メディア記録手段
１１０  メディア装填部
１１１  バス
１２０  ロール分けボタン
１３０  アルバム作成指示ボタン
２０  データ記録装置
２０１  ＣＰＵ
２０２  操作部
２０３  表示部
２０４  データ入力手段
２０５  メディア装填部
２０６  無線通信手段
２０７  ＲＯＭ
２０８  ＲＡＭ
２０９  記憶部
２１０  識別情報判別手段
２１１  記録媒体装填部
２１２  データ記録手段
２１３  バス
３０  メディア
４０  ディスク
４１  識別情報記録領域
４２  ＡＶ機器再生用データ記録領域
４３  オリジナルデータ記録領域
【図１】
2005167466.tif 000003
【図２】
2005167466.tif 000004
【図３】
2005167466.tif 000005
【図４】
2005167466.tif 000006
【図５】
2005167466.tif 000007
【図６】
2005167466.tif 000008
【図７】
2005167466.tif 000009
【図８】
2005167466.tif 000010
【図９】
2005167466.tif 000011